(57)【特許請求の範囲】
【請求項１】
複数の頂部又は凸部を有する平板状屋根に太陽電池モジュールを取り付けるための取付装置であって、
前記太陽電池モジュールの裏面に間隔を置いて略平行に差し渡される複数の連結棒と、
それぞれの前記連結棒の長手方向に間隔を置いて回動又は固定の切替が可能に取り付けられる支持体と、
前記支持体の下端に取り付けられる前記平板状屋根の任意の頂部又は凸部を挟持させる挟持金具とを備え、
前記支持体の上部には、前記連結棒を挿通させるフランジが設けられており、前記フランジと前記連結棒との間に介在される固定切替具によって回動又は固定の切替がおこなわれることを特徴とする太陽電池モジュールの取付装置。
【請求項２】
前記固定切替具がネジ、ボルト又はピンであって、前記連結棒に前記固定切替具を装着するための位置決め孔が設けられていることを特徴とする請求項１に記載の太陽電池モジュールの取付装置。
【請求項３】
前記挟持金具は、前記平板状屋根の任意の頂部又は凸部を挟んで配置される一対の挟持部と、一方の挟持部の上縁から上方に延出されるとともに折り返されて他方の挟持部の上縁に繋がる連結部と、その連結部の折り返しの一部を開口した挿込み口とを有し、
前記挿込み口に前記支持体の下端を挿し込んで、前記連結部の対向する２面と前記支持体とを貫通する貫通孔に挿通されたボルト部によって前記連結部の対向する２面を緊結させることを特徴とする請求項１又は２に記載の太陽電池モジュールの取付装置。
【請求項４】
複数の頂部又は凸部を有する平板状屋根に太陽電池モジュールを取り付けるための取付装置であって、
前記太陽電池モジュールの裏面に間隔を置いて略平行に差し渡される複数の連結棒と、
それぞれの前記連結棒の長手方向に間隔を置いて回動又は固定の切替が可能に取り付けられる支持体と、
前記支持体の下端に取り付けられる前記平板状屋根の任意の頂部又は凸部を挟持させる挟持金具とを備え、
前記挟持金具は、前記平板状屋根の任意の頂部又は凸部を挟んで配置される一対の挟持部と、一方の挟持部の上縁から上方に延出されるとともに折り返されて他方の挟持部の上縁に繋がる連結部と、その連結部の折り返しの一部を開口した挿込み口とを有し、
前記挿込み口に前記支持体の下端を挿し込んで、前記連結部の対向する２面と前記支持体とを貫通する貫通孔に挿通されたボルト部によって前記連結部の対向する２面を緊結させることを特徴とする太陽電池モジュールの取付装置。
【請求項５】
前記挟持部は、前記頂部又は凸部の側面から上面にかけての外形に合わせた形状に成形されており、前記連結部は前記挟持部と一体の板材を二つ折りにして成形されており、前記挿込み口は前記連結部の折り返しの両側縁を除いた部分にスリット状に開口されていることを特徴とする請求項３又は４に記載の太陽電池モジュールの取付装置。
【請求項６】
それぞれの前記連結棒には、短尺と長尺の長さが異なる２つの前記支持体が取り付けられ、それぞれの連結棒に取り付けられる短尺の支持体と長尺の支持体の長さは等しく、かつ長尺の支持体の取り付け位置は前記太陽電池モジュールの上枠側となることを特徴とする請求項１乃至５のいずれか一項に記載の太陽電池モジュールの取付装置。
【発明の詳細な説明】
【技術分野】
【０００１】
本発明は、複数の頂部又は凸部を有する折板屋根などの平板状屋根に太陽電池モジュールを取り付けるための取付装置に関するものである。
【背景技術】
【０００２】
従来、折板屋根に太陽電池モジュールを取り付けるための取付治具及び取付構造が知られている（特許文献１−３など参照）。
【０００３】
特許文献１には、太陽電池モジュールを傾斜させて設置するに際して、支持金具の長さを変えるだけで、容易に設置角度を調整することができる取付治具が開示されている。
【０００４】
また、特許文献２には、左右別体のクランプ片をボルトで締め付けて折板屋根の頂部を挟持させ、その左右クランプ片にフレーム固定金具を取り付けることで太陽電池モジュールを屋根面に対して斜めに設置する取付構造が開示されている。
【０００５】
さらに、特許文献３には、折板屋根の頂部に取付金物を設置し、その取付金物から上方に突出する締結ボルトに太陽電池モジュールを固定することで、屋根面に平行になるように太陽電池モジュールを取り付ける取付構造が開示されている。
【先行技術文献】
【特許文献】
【０００６】
【特許文献１】特開２００９−９１８２５号公報
【特許文献２】特開２００１−１９３２３１号公報
【特許文献３】特許第３２９９８７７号公報
【発明の概要】
【発明が解決しようとする課題】
【０００７】
しかしながら、特許文献１−３に開示された取付治具又は取付金物は、折板屋根に対してだけではなく、太陽電池モジュールに対しても、現地で取り付けられる。
【０００８】
それは、工場などで予め太陽電池モジュールに取付治具などを取り付けておくこともできるが、取付治具が突出することになるため嵩張り、効率的な運搬の支障になるおそれがあるためである。また、突出した取付治具は、搬送時又は設置時に他の物に接触する可能性が高く、変形したり破損したりするおそれがある。
【０００９】
そこで、本発明は、搬送効率を低下させることがないうえに、現地での設置作業を容易におこなうことができる太陽電池モジュールの取付装置を提供することを目的としている。
【課題を解決するための手段】
【００１０】
前記目的を達成するために、本発明の太陽電池モジュールの取付装置は、複数の頂部又は凸部を有する平板状屋根に太陽電池モジュールを取り付けるための取付装置であって、前記太陽電池モジュールの裏面に間隔を置いて略平行に差し渡される複数の連結棒と、それぞれの前記連結棒の長手方向に間隔を置いて回動又は固定の切替が可能に取り付けられる支持体と、前記支持体の下端に取り付けられる前記平板状屋根の任意の頂部又は凸部を挟持させる挟持金具とを備えたことを特徴とする。
【００１１】
ここで、前記支持体の上部には、前記連結棒を挿通させるフランジが設けられており、前記フランジと前記連結棒との間に介在される固定切替具によって回動又は固定の切替がおこなわれる構成とすることができる。また、前記固定切替具がネジ、ボルト又はピンであって、前記連結棒に前記固定切替具を装着するための位置決め孔が設けられている構成であってもよい。
【００１２】
さらに、前記挟持金具は、前記平板状屋根の任意の頂部又は凸部を挟んで配置される一対の挟持部と、一方の挟持部の上縁から上方に延出されるとともに折り返されて他方の挟持部の上縁に繋がる連結部と、その連結部の折り返しの一部を開口した挿込み口とを有し、前記挿込み口に前記支持体の下端を挿し込んで、前記連結部の対向する２面と前記支持体とを貫通する貫通孔に挿通されたボルト部によって前記連結部の対向する２面を緊結させる構成とすることができる。
【００１３】
また、前記挟持部は、前記頂部又は凸部の側面から上面にかけての外形に合わせた形状に成形されており、前記連結部は前記挟持部と一体の板材を二つ折りにして成形されており、前記挿込み口は前記連結部の折り返しの両側縁を除いた部分にスリット状に開口されている構成であってもよい。
【００１４】
さらに、それぞれの前記連結棒には、短尺と長尺の長さが異なる２つの前記支持体が取り付けられ、それぞれの連結棒に取り付けられる短尺の支持体と長尺の支持体の長さは等しく、かつ長尺の支持体の取り付け位置は前記太陽電池モジュールの上枠側となる構成であってもよい。
【発明の効果】
【００１５】
このように構成された本発明の太陽電池モジュールの取付装置は、太陽電池モジュールの裏面に差し渡された連結棒に、回動又は固定が切替自在になるように支持体が取り付けられている。そして、その支持体の下端には平板状屋根の頂部又は凸部を挟持させる挟持金具が取り付けられている。
【００１６】
このため、搬送時は支持体から先の部分を太陽電池モジュールの裏面側に収容させることで、効率的に搬送がおこなえるようになるうえに、設置時も支持体を回動させるだけで設置作業の大部分が終了するため、容易に太陽電池モジュールを設置することができる。
【００１７】
また、支持体の上部に設けられたフランジと連結棒との間に介在される固定切替具によって回動と固定の切替をおこなうことができれば、支持体の搬送前の収納作業と設置時の起こし作業を迅速におこなうことができる。
【００１８】
さらに、連結棒に固定切替具を装着させるための位置決め孔が予め設けられていれば、支持体の固定位置が簡単に決まり、位置決め作業の手間を削減することができる。
【００１９】
また、ボルト部を緊結させるだけで挟持部を頂部又は凸部に圧着させることができれば、平板状屋根に太陽電池モジュールを迅速に固定することができる。さらに、挟持部の形状を、折板屋根の頂部又は凸部の側面から上面にかけての外形に合わせた形状に成形することで、頂部又は凸部との密着度が高まり、ずれ難くすることができる。
【００２０】
そして、複数の連結棒に同じ長さの短尺の支持体と、同じ長さの長尺の支持体とが取り付けられていれば、太陽電池モジュールを所定の角度で斜めにして設置することが容易にできる。
【図面の簡単な説明】
【００２１】
【図１】本発明の実施の形態の取付装置の構成を説明するために太陽電池モジュールの裏面を見た斜視図である。
【図２】支持体及び挟持金具を側方から見た説明図である。
【図３】太陽電池モジュールの裏面に支持体が収容された状態を説明する図であって、（ａ）は下面図、（ｂ）は（ａ）の矢印方向から見た断面図である。
【図４】折板屋根の頂部に挟持金具を取り付けた状態を示した斜視図である。
【図５】太陽電池モジュールの取付構造を説明する断面図である。
【発明を実施するための形態】
【００２２】
以下、本発明の実施の形態について図面を参照して説明する。本実施の形態の太陽電池モジュール１の取付装置３は、図１に示すように太陽電池モジュール１の裏面１ａに設けられる。
【００２３】
また、太陽電池モジュール１は、図４，５に示すような平板状屋根としての折板屋根２に取り付けられる。この折板屋根２は、所定のピッチで頂部２１，・・・が設けられた平板状の屋根である。
【００２４】
このような折板屋根２は、例えば波形のポリ塩化ビニル被覆鋼板によって形成されるもので、図４に示すようにその折り曲げられた山形が頂部２１になる。また、折板屋根２の下側には、図５に示すように、それを支持する屋根フレーム２２及び天井２３が設けられる。
【００２５】
そして、本実施の形態の取付装置３は、図１に示すように、太陽電池モジュール１の裏面１ａに間隔を置いて略平行に差し渡される２本の連結棒３４，３４と、それぞれの連結棒３４の長手方向に間隔を置いて回動又は固定の切替が可能に取り付けられる支持体としての支持金具３２Ａ，３２Ｂと、それぞれの支持金具３２Ａ，３２Ｂの下端に取り付けられる挟持金具３１とを主に備えている。
【００２６】
平面視長方形の太陽電池モジュール１の裏面１ａには、長辺側の縁部に上枠１１と下枠１２が取り付けられ、短辺側の縁部に側枠１３，１３が取り付けられる。
【００２７】
そして、上枠１１と下枠１２に対して円柱状の連結棒３４が差し渡される。連結棒３４は、側枠１３の近傍に側枠１３に略平行に差し渡される。また、連結棒３４の両方の端部は、固定金具３５，３５によって上枠１１と下枠１２に固定される。
【００２８】
また、支持金具３２Ａ，３２Ｂには、上枠１１の近傍に取り付けられる長尺の支持金具３２Ａと、下枠１２の近傍に取り付けられる短尺の支持金具３２Ｂとがあるが、長さが異なるだけなので以下では支持金具３２として構成を説明する。
【００２９】
支持金具３２は、図１，２に示すように、上縁が半円状に成形された長方形板状の本体部３２２と、本体部３２２の下縁から所定の角度で延出される挿入部３２３と、本体部３２２の上部に設けられる円筒状のフランジ３２１とによって主に構成される。
【００３０】
このフランジ３２１は、連結棒３４を挿通させる継手部である。このフランジ３２１には、固定切替具としてのネジ３２１ｂを挿入する穿孔３２１ａが設けられる。
【００３１】
太陽電池モジュール１を折板屋根２の頂部２１に取り付けるときの支持金具３２と連結棒３４との位置関係に合わせて連結棒３４に位置決め孔３４１を設けておけば、フランジ３２１の穿孔３２１ａを位置決め孔３４１に合わせてネジ３２１ｂを締め付けることで、連結棒３４の決められた位置に支持金具３２を固定することができる。
【００３２】
一方、支持金具３２の本体部３２２の長さを変えることによって、太陽電池モジュール１を支持させる高さを変えることができる。図５には、傾斜させた太陽電池モジュール１の下枠１２側に短尺の支持金具３２Ｂを配置し、上枠１１側に長尺の支持金具３２Ａを配置した状態を示している。
【００３３】
すなわち、この上枠１１側に設置される支持金具３２Ａと下枠１２側に設置される支持金具３２Ｂの長さの差が、その上に設置される太陽電池モジュール１の傾斜角度を規定することになる。また、本体部３２２と挿入部３２３との角度は、太陽電池モジュール１の設置したい角度に応じて設定されている。
【００３４】
このような構成であれば、連結棒３４及び後述する挟持金具３１には同一部品を使用し、支持金具３２Ａ，３２Ｂを所望される長さの金具にすることで、太陽光発電が効率よくおこなえる傾斜角度に太陽電池モジュール１を設置することが容易にできる。
【００３５】
挟持金具３１には、図２，４に示すように、折板屋根２の頂部２１を挟んで配置される一対の挟持部３１１，３１１と、一方の挟持部３１１の上縁から上方に延出されるとともに折り返されて他方の挟持部３１１の上縁に繋がる連結部３１２と、その連結部３１２の折り返し部３１２ａの一部を開口した挿込み口３１３と、連結部３１２の対向する２面を貫通する貫通孔３１４とが設けられている。
【００３６】
例えば、この挟持部３１１，３１１と連結部３１２は、一枚のステンレス鋼板を折り曲げて成形される。また、この挟持部３１１，３１１は、頂部２１の側面から上面にかけての外形に合わせた鉤形にそれぞれ成形されている（図２、図４参照）。
【００３７】
そして、一方の挟持部３１１の上縁から真っ直ぐに上方に延出された連結部３１２は、途中の折り返し部３１２ａで二つ折りにされて他方の挟持部３１１の上縁に向けて延出される。すなわち、挟持部３１１，３１１と連結部３１２の対向する２面は、折り返し部３１２ａからの垂線に対して線対称に成形される。
【００３８】
この連結部３１２の二つ折りにされて対向する２面には、水平方向に貫通する貫通孔３１４が形成されている。そして、この貫通孔３１４は、後述するボルト部３３が装着されて緊結されると、挟持部３１１，３１１が閉じる方向に移動する位置に設けられている。
【００３９】
また、連結部３１２の折り返し部３１２ａには、支持金具３２の挿入部３２３の幅より僅かに広くなるように、両側縁を除いた部分がスリット状に切り欠かれた挿込み口３１３が形成されている。
【００４０】
さらに、その挿込み口３１３は、連結部３１２の対向する２面間の中空部に連通されている。そして、その挿込み口３１３に支持金具３２の挿入部３２３を挿し込む。
【００４１】
支持金具３２の挿入部３２３は、挿込み口３１３から挿入された際に連結部３１２の貫通孔３１４と連通する位置に、貫通孔３２３ａが形成されている。すなわち、連結部３１２の対向する２面と支持金具３２の挿入部３２３とを貫通する貫通孔３１４，３２３ａが形成される。
【００４２】
そして、ボルト部３３は、連結部３１２の貫通孔３１４と挿入部３２３の貫通孔３２３ａとに挿通されるボルト３３１と、そのボルト３３１に螺着させるナット３３２とから構成されている。
【００４３】
次に、本実施の形態の取付装置３を用いた太陽電池モジュール１の取付構造の構築方法について説明する。
【００４４】
まず、工場において、図１に示すように、太陽電池モジュール１の裏面１ａに対して、側枠１３，１３の近傍にそれらと平行になるようにそれぞれ連結棒３４，３４を取り付ける。
【００４５】
連結棒３４の取り付けは、支持金具３２Ａ，３２Ｂが連結棒３４に挿通された状態で、連結棒３４の両方の端部を上枠１１及び下枠１２に固定金具３５，３５によって押え付けることによっておこなう。
【００４６】
そして、連結棒３４を軸にして支持金具３２Ａ，３２Ｂを回動させ、太陽電池モジュール１の裏面１ａに最も近接する位置でフランジ３２１の穿孔３２１ａに挿入されたネジ３２１ｂを締め付けて仮止めをおこなう。ここで、連結棒３４には、この仮止め位置に仮止め用の位置決め孔３４１を穿孔しておくことができる。また、ネジ３２１ｂの先端を連結棒３４の周面に押し付ける圧力のみで仮止めをおこなってもよい。この仮止め作業は、４つの支持金具３２Ａ，３２Ｂ，３２Ａ，３２Ｂの全てに対しておこなう。
【００４７】
続いて、図３（ｂ）に示すように、折板屋根２の表層となる屋根パネル２０上に支持金具３２Ａ，３２Ｂ・・・が収容された太陽電池モジュール１を置く。この際、太陽電池モジュール１は設置位置の近辺に置くことになるが、頂部２１，・・・と支持金具３２Ａ，３２Ｂ・・・とが干渉して嵩高にならないようにする。すなわち、頂部２１，２１間に支持金具３２Ａ，３２Ｂ・・・が配置されるようにする。そして、屋根パネル２０と太陽電池モジュール１とを一体にして現地まで搬送する。
【００４８】
現地では、クレーンを使って屋根パネル２０の設置をおこなう。この屋根パネル２０の設置によって太陽電池モジュール１も折板屋根２の上に配置されたことになる。続いて仮止めしていたネジ３２１ｂ，・・・を緩めて、支持金具３２Ａ，３２Ｂ，３２Ａ，３２Ｂを自重で回動させながら太陽電池モジュール１を起こす。
【００４９】
そして、連結棒３４の位置決め孔３４１に支持金具３２Ａ（３２Ｂ，３２Ａ，３２Ｂ）のフランジ３２１の穿孔３２１ａを合わせ、ネジ３２１ｂを締め付けて固定する。
【００５０】
続いて、図４に示すように、折板屋根２の頂部２１を挟持部３１１，３１１によって挟ませ、ボルト部３３のボルト３３１又はナット３３２を締め付けて連結部３１２の対向する２面とその間に介在された挿入部３２３とを緊結させる。
【００５１】
以上のような作業によって、図５に示すように太陽電池モジュール１を傾斜させた状態で設置することができる。
【００５２】
次に、本実施の形態の太陽電池モジュール１の取付装置３の作用について説明する。
【００５３】
このように構成された本実施の形態の太陽電池モジュール１の取付装置３は、太陽電池モジュール１の裏面１ａに差し渡された連結棒３４に、回動又は固定が切替自在になるように支持金具３２Ａ，３２Ｂ・・・が取り付けられている。そして、支持金具３２Ａ，３２Ｂ・・・の下端には、折板屋根２の頂部２１を挟持させる挟持金具３１がそれぞれ取り付けられている。
【００５４】
このため、搬送時は支持金具３２Ａ，３２Ｂ・・・から先の部分を太陽電池モジュール１の裏面１ａ側に収容させることで、効率的に搬送がおこなえるようになる。すなわち、支持金具３２Ａ，３２Ｂ・・・が太陽電池モジュール１の裏面１ａと略平行になっていれば、裏面１ａから突出する部分が少なく、太陽電池モジュール１の厚みが大幅に増加することがないため、搬送時の占有容積が増して搬送コストが上昇してしまうようなことがない。
【００５５】
また、現地での設置時においても、支持金具３２Ａ，３２Ｂ・・・を回動させるだけで設置作業の大部分が終了するため、容易に太陽電池モジュール１を設置することができる。
【００５６】
さらに、支持金具３２Ａ，３２Ｂ・・・の上部に設けられたフランジ３２１の穿孔３２１ａに通したネジ３２１ｂの締め付け度合いによって回動と固定の切替をおこなうことができれば、支持金具３２Ａ，３２Ｂ・・・の搬送前の収納作業と設置時の起こし作業を迅速におこなうことができる。
【００５７】
また、連結棒３４にネジ３２１ｂを装着させるための位置決め孔３４１が設けられていれば、支持金具３２Ａ，３２Ｂ・・・の固定位置が簡単に決まり、位置決め作業の手間を削減することができる。
【００５８】
さらに、折板屋根２の頂部２１を挟持する一対の挟持部３１１，３１１が、連結部３１２によって繋がって一つの挟持金具３１になっているため、従来の左右に分かれた別体のクランプを取り付けるときのように位置ずれを生じさせることなく、容易に頂部２１に挟持金具３１を嵌めることができる。
【００５９】
また、この連結部３１２の挿込み口３１３には任意の長さの本体部３２２を有する支持金具３２Ａ，３２Ｂが挿入できるので、太陽電池モジュール１を支持させる高さ及び角度を容易に調整することができる。さらに、本体部３２２と挿入部３２３との傾斜角度も、支持金具３２Ａ，３２Ｂを他の支持金具３２に交換するだけで容易に調整することができる。
【００６０】
また、挟持金具３１の貫通孔３１４と支持金具３２Ａ（３２Ｂ）の貫通孔３２３ａに挿し込まれたボルト３３１又はナット３３２を締め付けるだけで、挟持部３１１，３１１を頂部２１に圧着させるための連結部３１２の緊結をおこなうことができる。
【００６１】
このため、太陽電池モジュール１の取り付けが容易になるうえに、取り付ける支持金具３２（３２Ａ，３２Ｂ）の長さや本体部３２２と挿入部３２３との傾斜角度を変えるだけで、太陽電池モジュール１の設置角度を容易に調整することができる。
【００６２】
すなわち、太陽電池モジュール１は、太陽に対する向きによって発電効率が異なるので、支持金具３２（３２Ａ，３２Ｂ）を変えることで太陽電池モジュール１の設置角度を調整できれば、最適な設置角度にすることが容易にできる。
【００６３】
また、挟持部３１１，３１１の形状を、折板屋根２の頂部２１の側面から上面にかけての外形に合わせた形状に成形することで、頂部２１との密着度が高まり、ずれ難くすることができる。
【００６４】
以上、図面を参照して、本発明の実施の形態を詳述してきたが、具体的な構成は、この実施の形態に限らず、本発明の要旨を逸脱しない程度の設計的変更は、本発明に含まれる。
【００６５】
例えば、前記実施の形態では、平板状屋根として折板屋根２の頂部２１に取付装置３の挟持金具３１を取り付ける場合について説明したが、これに限定されるものではなく、平板状屋根として波形スレート板、波形亜鉛鉄板、波形ガラス、波形プラスチック板の屋根の頂部に挟持金具を取り付ける場合にも本発明の取付装置を適用することができる。
【００６６】
また、瓦棒と称する芯材が所定のピッチで設けられた鋼板瓦棒葺き屋根を平板状屋根とし、その凸部である角形の瓦棒部に適用される取付装置の構成であってもよい。
【００６７】
さらに、前記実施の形態では、１本の連結棒３４に異なる長さの支持金具３２Ａ，３２Ｂを装着する場合について説明したが、これに限定されるものではなく、同じ長さの支持体を装着することで、太陽電池モジュール１を屋根面に平行に取り付けることができる。また、１本の連結棒３４に、３つ以上の支持体を取り付ける構成であってもよい。
【００６８】
さらに、前記実施の形態では、一つの太陽電池モジュール１に２本の連結棒３４，３４が取り付けられた場合について説明したが、これに限定されるものではなく、３本以上の連結棒３４，・・・を取り付けることもできる。
【００６９】
また、前記実施の形態では、連結棒３４に位置決め孔３４１を設けて予め決められた所定の角度で太陽電池モジュール１が設置できる場合について説明したが、これに限定されるものではなく、連結棒３４の任意の位置で支持体が固定できる構成であってもよい。
【００７０】
さらに、前記実施の形態では、支持金具３２Ａ，３２Ｂを太陽電池モジュール１の裏面１ａ側に収容する際にネジ３２１ｂを締め付けて仮止めしてから屋根パネル２０の上に置いたが、これに限定されるものではない。支持金具３２Ａ，３２Ｂが回動可能な状態のまま屋根パネル２０の上に置けば、現地で太陽電池モジュール１を起こすだけで支持金具３２Ａ，３２Ｂが自重で垂れ下がり、迅速に設置作業を進めることができる。
【００７１】
また、前記実施の形態では、固定切替具としてネジ３２１ｂを使って説明したが、これに限定されるものではなく、タッピンネジ、ボルト、ピンなどを固定切替具として使用することもできる。
【符号の説明】
【００７２】
１            太陽電池モジュール
１１          上枠
２            折板屋根（平板状屋根）
２１          頂部
３            取付治具
３１１        挟持部
３１２        連結部
３１２ａ      折り返し部
３１３        挿込み口
３１４        貫通孔
３２          支持金具（支持体）
３２Ａ        支持金具（長尺の支持体）
３２Ｂ        支持金具（短尺の支持体）
３２１        フランジ
３２１ａ      穿孔
３２１ｂ      ネジ（固定切替具）
３２３        挿入部
３２３ａ      貫通孔
３３          ボルト部
３４          連結棒
３４１        位置決め孔
【図１】
0005746557.tif 000002
【図２】
0005746557.tif 000003
【図３】
0005746557.tif 000004
【図４】
0005746557.tif 000005
【図５】
0005746557.tif 000006